(57)【要約】  画像データを含む受信データを受信する受信部２と、この受信部２で受信した画像データに基づいて画像を表示する画像表示部と、受信データの一部を特定する特定用データが予め保持された特定用データ保持部１２とを備え、この特定用データ保持部に保持されている特定用データに基づいて、画像表示部１１の表示を抑制する。【特許請求の範囲】
【請求項１】
画像データを含む受信データを受信する受信部と、
この受信部で受信した前記画像データに基づいて画像を表示する画像表示部と、
前記受信データの一部を特定する特定用データが予め保持された特定用データ保持部とを備え、
この特定用データ保持部に保持されている前記特定用データに基づいて、前記画像表示部の表示を抑制することを特徴とする画像受信装置。
【請求項２】
特定用データは、発信番号通知の有無を確認するプログラムを有することを特徴とする請求項１記載の画像受信装置。
【請求項３】
特定用データは、予め入力した発信番号を有することを特徴とする請求項１記載の画像受信装置。
【請求項４】
画像表示部は、特定用データに基づいて非表示に制御されることを特徴とする請求項１記載の画像受信装置。
【請求項５】
画像表示部は、特定用データに基づいて非表示に制御されることを特徴とする請求項２記載の画像受信装置。
【請求項６】
画像表示部は、特定用データに基づいて非表示に制御されることを特徴とする請求項３記載の画像受信装置。
【請求項７】
画像表示部は、特定用データに基づいて不鮮明画像表示に制御されることを特徴とする請求項１記載の画像受信装置。
【請求項８】
画像表示部は、特定用データに基づいて不鮮明画像表示に制御されることを特徴とする請求項２記載の画像受信装置。
【請求項９】
画像表示部は、特定用データに基づいて不鮮明画像表示に制御されることを特徴とする請求項３記載の画像受信装置。
【請求項１０】
不鮮明表示のモードに加え、非表示のモードを有し、正常な画像表示に対して任意の順で切り替えるようにしたことを特徴とする請求項７記載の画像受信装置。
【請求項１１】
不鮮明表示のモードに加え、非表示のモードを有し、正常な画像表示に対して任意の順で切り替えるようにしたことを特徴とする請求項８記載の画像受信装置。
【請求項１２】
不鮮明表示のモードに加え、非表示のモードを有し、正常な画像表示に対して任意の順で切り替えるようにしたことを特徴とする請求項９記載の画像受信装置。
【請求項１３】
不鮮明表示された画像の画質を、タイマ設定に従って徐々に変化させて正常な画像表示に復帰させるようにしたことを特徴とする請求項７記載の画像受信装置。
【請求項１４】
不鮮明表示された画像の画質を、タイマ設定に従って徐々に変化させて正常な画像表示に復帰させるようにしたことを特徴とする請求項８記載の画像受信装置。
【請求項１５】
不鮮明表示された画像の画質を、タイマ設定に従って徐々に変化させて正常な画像表示に復帰させるようにしたことを特徴とする請求項９記載の画像受信装置。
【請求項１６】
不鮮明表示された画像は、タイマ設定により正常な画像表示に直接切り替えられ、かつ切り替えまでのタイマの残り時間を画像表示部に表示させるようにしたことを特徴とする請求項７記載の画像受信装置。
【請求項１７】
不鮮明表示された画像は、タイマ設定により正常な画像表示に直接切り替えられ、かつ切り替えまでのタイマの残り時間を画像表示部に表示させるようにしたことを特徴とする請求項８記載の画像受信装置。
【請求項１８】
不鮮明表示された画像は、タイマ設定により正常な画像表示に直接切り替えられ、かつ切り替えまでのタイマの残り時間を画像表示部に表示させるようにしたことを特徴とする請求項９記載の画像受信装置。
【請求項１９】
受信した画像データによる画像の代用画像を予め準備しておき、非表示にする代わりに、当該代用画像を表示するようにしたことを特徴とする請求項４記載の画像受信装置。
【請求項２０】
受信した画像データによる画像の代用画像を予め準備しておき、不鮮明画像表示にする代わりに、当該代用画像を表示するようにしたことを特徴とする請求項７記載の画像受信装置。
【発明の詳細な説明】
【技術分野】
【０００１】
この発明は、受信する画像情報の表示を制御する画像受信装置に関するものである。
【背景技術】
【０００２】
近年、携帯電話機にもテレビ電話機能が搭載されるようになってきた。このようなテレビ電話機能を有する携帯電話機において、テレビ電話通話時に、必要な時だけ相手から送られた映像信号を復号化して表示させる方法として、各種の方法が提案されている。例えば特許文献１によれば、映像信号が動画信号である場合に、一定時間受信画像を表示画面に表示させた後、復号化部の動作を停止させる構成にしている。【０００３】
また、従来のテレビ電話機能を有する通信端末装置において、テレビ電話通話時に、プライバシーを守るということに関して、相手に送る画像を制御もしくは設定するという方法が提案されている。例えば特許文献２によれば、着信番号に対して自端末の画像送信を自動的に判断することで、テレビ電話利用時のプライバシーを守ることができる構成を備えている。【０００４】
【特許文献１】特開２００２−２７１４５号公報
【特許文献２】特開平８−２６５４５０号公報
【０００５】
テレビ電話の画像やその他の画像を受信して表示する機能を有す画像受信装置は、その普及率が年々上昇している。その中、プライバシーの侵害やイタズラなどの目的にテレビ電話機能が利用されることが危惧される。しかし、特許文献１に記載された従来技術では、受信画像信号を復号化し、受信画像を表示画面に表示させた後、一定期間後に受信画像復号化の動作を停止しており、受信画像表示時間を監視するタイマおよびその設定が必要なため、使用者にとって煩雑な操作が要求される。また、この技術では、一定期間後に受信画像復号化の動作を停止するため、例えば受信画像を最初から見たくない場合等の制御は行えず、テレビ電話使用時のユーザ側の選択肢が限定したものとなっている。一方、特許文献２に記載された従来技術では、例えば受信画像を見たくない場合に、自端末における画像表示の制御を行うようになっていないなどの問題がある。【０００６】
この発明は、上記のような課題を解決するためになされたもので、受信画像の表示を制御することにより、通信時におけるプライバシーの侵害やイタズラ行為から利用者を守るようにする画像受信装置を得ることを目的とする。
【発明の開示】
【０００７】
この発明に係る画像受信装置は、画像データを含む受信データを受信する受信部と、この受信部で受信した画像データに基づいて画像を表示する画像表示部と、受信データの一部を特定する特定用データが予め保持された特定用データ保持部とを備え、この特定用データ保持部に保持されている特定用データに基づいて、画像表示部の表示を抑制するものである。
【０００８】
このことによって、テレビ電話の画像に限らず、受信する画像データに関し、ユーザが見たくない画像あるいは他から見られたくない画像を非表示、不鮮明画像、代替画像などに切り替えることができるようにしたため、プライバシーの侵害やイタズラ行為から利用者を守る効果がある。
【図面の簡単な説明】
【０００９】
【図１】この発明の各実施の形態による画像受信装置の機能を含む送受信機の構成を示すブロック図である。
【図２】この発明の実施の形態１に係る画像処理部の機能構成を示すブロック図である。
【図３】この発明の実施の形態２に係る動作手順を示すフローチャートである。
【図４】この発明の実施の形態３に係る画像処理部の機能構成を示すブロック図である。
【図５】この発明の実施の形態３に係る受信画像に表示態様を表す説明図である。
【図６】この発明の実施の形態４による画像処理部の機能構成を示すブロック図である。
【発明を実施するための最良の形態】
【００１０】
以下、この発明をより詳細に説明するために、この発明を実施するための最良の形態について、添付の図面に従って説明する。
実施の形態１．
図１はこの発明の各実施の形態による画像受信装置の機能を含む送受信機の構成を示すブロック図である。ここでは、送受信機を画像データを扱う携帯電話機とし、その一般的な構成と動作について説明する。
図において、送受信部（受信部）２は、アンテナ１により受信した無線信号を低周波のベースバンド信号に周波数変換してモデム３に出力する。また、送受信部２は、送信のためにモデム３から与えられる低周波のベースバンド信号を高周波に周波数変換してアンテナ１に供給する。モデム３は、送受信部２からのベースバンド信号を復調し、データとして音声画像分離結合部４に出力する。また、モデム３は、音声画像分離結合部４からの送信用のデータを変調してベースバンド信号とし、送受信部２に出力する。音声画像分離結合部４は、受信したデータから画像と音声を分離し、送信する画像と音声の結合を行う。音声処理部５は、復号化音声をデコードしてスピーカ９に出力し、また、マイク８から入力した音声をエンコードし、音声画像分離結合部４に出力する。画像処理部６は、復号化データをデコードして画像表示部１１に出力し、また、カメラ１０から入力した画像をエンコードし、音声画像分離結合部４に出力する。制御部７は、ＣＰＵからなり、各部の制御、操作部１３による各種の設定を行う。【００１１】
図２はこの実施の形態１に係る画像処理部６の詳細な構成を示すブロック図である。
画像処理部６は、画像エンコード処理部１４、画像デコード処理部１５、スイッチ１６から構成されている。画像エンコード処理部１４は、カメラ１０から入力した画像信号をエンコードし、音声画像分離結合部４に出力する。一方、画像デコード処理部１５は、音声画像分離結合部４にて分離した復号化データを画像信号にデコードする。スイッチ１６は、画像デコード処理部１５から画像表示部１１に与える画像信号をオン・オフ切り替え制御する。メモリ部１２（特定用データ保持部）は、受信データの一部を特定する特定用データを予め保持している。この特定用データとしては、例えば携帯電話の場合、発信番号通知の有無を確認するプログラム、事前に登録しておいた発信番号などがある。なお、スイッチ１６は、画像デコード処理部の後段に設けられているが、前段に設けてもよい。【００１２】
上記構成において、先ずユーザはキー操作により発信番号の無い受信データに対して、その画像データについて表示を拒否したい旨の設定をしておく。受信の最初において、発信番号通知の有無を確認するプログラムを起動して受信データの発信番号通知を確認する。発信番号通知があった場合には、画像デコード処理部１５からの画像信号はスイッチ１６を介して画像表示部１１に与えられ、受信画像が正常に表示される。一方、発信番号通知が非通知の場合には、制御部７は、制御信号をスイッチ１６に与え、画像デコード処理部１５から画像表示部１１に与える画像信号を遮断させる。これにより、画像表示部１１は非表示となる。
なお、発信番号通知が非通知の場合に画像を非表示とすることに加え、あるいは代わりに、キー操作により予め設定した発信番号を検出した場合の画像を非表示とするようにしてもよい。【００１３】
以上のように、この実施の形態１によれば、特定用データに基づいて、すなわち発信番号通知の有無および／もしくは予め設定しておいた発信番号の検出に応じて、画像表示部１１おける受信画像の表示を抑制するようにしたので、ユーザにとって重要でなく、また他から見られたくない確率が高い画像を自動的に非表示に切り替えることができ、プライバシーの侵害やイタズラ行為から利用者を守ることが可能になる。【００１４】
実施の形態２．
この実施の形態２では、発信番号通知が非通知で、画像を非表示とした後のスイッチ１６の制御動作について説明する。図３は実施の形態２に係る動作手順を示すフローチャートである。
モデム３からの電話着呼の通知で、着呼処理を行う（ステップＳＴ１）。ユーザが操作部１３を操作して電話を受ける（ステップＳＴ２）。制御部７では、受けた電話の受信情報に発信番号通知があるかどうかを判定する（ステップＳＴ３）。発信番号通知があれば、制御部７はスイッチ１６をオン状態にして受信画像を表示するよう制御する（ステップＳＴ６）。一方、発信番号通知が非通知の場合、制御部７は受信画像を表示させないようにスイッチ１６をオフ状態に切り替えるよう制御し、また音声のみの通話を行えるようにする（ステップＳＴ４）。次に、音声を聞いて受信画像を表示したい場合、ユーザはキー操作を行うことで操作部１３から制御部７に対して画像表示の指示を出す（ステップＳＴ５）。したがって、画像表示の指示が有った場合、制御部７はスイッチ１６をオン状態にし、このことにより受信画像が画像表示部１１に与えられ表示される（ステップＳＴ６）。
なお、ステップＳＴ３で、発信番号通知が非通知の場合に画像を非表示とすることに加え、あるいは代わりに、予め設定した発信番号を検出した場合に画像を非表示とするようにしてもよい。【００１５】
以上のように、この実施の形態２によれば、特定用データに基づいて画像信号を遮断して画像表示部を非表示とした場合に、音声のみの通話とした後、ユーザのキー操作により画像を表示するようにしたので、音声送信元の内容に応じて受信画像の表示、非表示を制御できるため、通信相手に気づかれずに画像の切り換え操作を行えるという利点がある。また、テレビ電話通信開始時に、発番号通知が無く相手を確認できない場合には、とりあえず音声にて通話の相手を確認してから受信画像を表示するようにしているため、悪意のある相手の場合に不快な画像を見なくて済ませることができる。【００１６】
実施の形態３．
図４はこの発明の実施の形態３に係る画像処理部の詳細を示すブロック図である。ここでは、図２のスイッチ１６の代わりに画質変換部１７が設けられている。
操作部１３に設けられた画像制御キーをユーザが操作することにより、画質変換部１７は、制御部７からの指示に従って画像デコード処理部１５から画像表示部１１に与えている画像信号に画質変換処理を行い、受信画像の一部分または全体を不鮮明画像表示に切り替える。また、画質変換部１７は実施の形態１と同様に、画像信号を遮断して当該画像表示部１１を非表示にするモードを有する。この場合、例えば図５に示すように、画像表示部１１は、制御部７からの指示により受信画像表示、非表示、不鮮明画像表示の任意の順で切り替えられる。この場合にも、相手方の音声はそのまま再生状態にしておけば、相手方には気づかれず、音声からの情報だけは把握することができる。【００１７】
以上のように、この実施の形態３によれば、画像デコード処理部１５から画像表示部１１に与えている画像信号に画質変換処理を行い、画像表示部１１で表示している受信画像を不鮮明画像表示にするモードと、画像デコード処理部１５から画像表示部１１に与えている画像信号を遮断し、画像表示部１１を非表示にするモードを有し、画質変換部１７において、正常な受信画像表示に対して任意の順で切り替えるようにしたので、受信側のユーザは、送信元や周囲の状況に応じて受信画像の表示形態を任意に選択することが可能になる。また、不鮮明表示に切り替えた場合には、正常な画質の画像でなくても概略相手を判別できるため、不快な画像の直視を避けることができる。【００１８】
なお、この実施の形態３では、受信画像表示、非表示、不鮮明表示のモードの組み合わせで切り替えるようにしているが、受信画像表示と不鮮明表示のモードの組み合わせだけにしてしてもよい。また、画質変換部１７は、非表示または不鮮明画像表示にする代わりに、受信画像を予め準備した代用画像に置き換えて表示するようにしてもよい。さらに、受信画像表示と不鮮明表示のモードの組み合わせ、あるいは受信画像表示と代用画像表示のモードの組み合わせに対して、前記実施の形態２による発信番号通知の有無に対応させた処理方法を適用してもよい。【００１９】
実施の形態４．
図６はこの発明の実施の形態４に係る画像処理部の詳細を示すブロック図である。ここでは、実施の形態３の図４に対して、タイマ１８を追加した構成としている。
タイマ１８は、図５において、正常な画像表示から不鮮明画像表示に切り替えた時に計数を開始する。画質変換部１７は、タイマ１８の計数量に従って、不鮮明な受信画像の画質を徐々に変化させて鮮明な受信画像へと復帰させる。【００２０】
以上のように、この実施の形態４によれば、不鮮明表示した画像の画質を、タイマ設定に従って徐々に変化させて正常な受信画像表示に復帰させるようにしたので、不鮮明画像表示から元の受信画像表示への復帰を自動的に行うことができ、その際、復帰のタイミングを画質変化から確認することができる。
なお、他の方法として、不鮮明表示した画像を、タイマ設定により正常な受信画像表示に直接切り替え、かつ切り替えまでのタイマの残り時間を画像表示部に表示させるようにしてもよい。
【産業上の利用可能性】
【００２１】
以上のように、この発明に係る画像受信装置は、受信画像の表示をユーザが好まない場合に、非表示、不鮮明画像、代替画像などに切り替えることで、プライバシーの侵害やイタズラ行為から利用者を守ることができるので、普及が進むテレビ電話機能を搭載した携帯電話機への適用が望まれる。
【図１】
2006135052.tif 000002
【図２】
2006135052.tif 000003
【図３】
2006135052.tif 000004
【図４】
2006135052.tif 000005
【図５】
2006135052.tif 000006
【図６】
2006135052.tif 000007
【国際調査報告】
2006135052.tif 000008
2006135052.tif 000009
2006135052.tif 000010
2006135052.tif 000011
2006135052.tif 000012
2006135052.tif 000013